(57)【要約】【課題】レンズ装置を交換した場合であっても、レンズ装置に対応した投射条件を容易に設定可能なプロジェクション装置および制御プログラムを提供すること。【解決手段】レンズ装置を交換可能なプロジェクション装置であって、レンズ装置からレンズ装置に対応するレンズ識別情報を取得する取得手段と、レンズ識別情報と、該レンズ識別情報に対応する調整可能な投射条件を記憶する記憶手段と、記憶手段が取得手段により取得されたレンズ識別情報を記憶している場合、記憶手段から読み出す投射条件を、取得手段が取得したレンズ識別情報に対応する投射条件に切り替える制御手段と、を有する。【選択図】図１
2019082515.tif 000002
【特許請求の範囲】
【請求項１】
レンズ装置を交換可能なプロジェクション装置であって、
前記レンズ装置から前記レンズ装置に対応するレンズ識別情報を取得する取得手段と、
レンズ識別情報と、該レンズ識別情報に対応する調整可能な投射条件と、を記憶する記憶手段と、
前記記憶手段が前記取得手段により取得されたレンズ識別情報を記憶している場合、前記記憶手段から読み出す投射条件を、前記取得手段が取得したレンズ識別情報に対応する投射条件に切り替える制御手段と、を有することを特徴とするプロジェクション装置。
【請求項２】
前記制御手段は、前記取得手段が取得したレンズ識別情報に対応する投射条件を、前記プロジェクション装置に設定することを特徴とする請求項１に記載のプロジェクション装置。
【請求項３】
前記レンズ識別情報は、レンズ種別およびシリアル番号の少なくとも一方を含むことを特徴とする請求項１または２に記載のプロジェクション装置。
【請求項４】
前記投射条件は、ズーム情報、フォーカス情報、レンズシフト情報、映像上下反転情報、および映像左右反転情報の少なくともいずれかを含むことを特徴とする請求項１から３のずれかに記載のプロジェクション装置。
【請求項５】
前記記憶手段は、複数のレンズ識別情報と、各々が該複数のレンズ識別情報のそれぞれに対応する調整可能な複数の投射条件と、を記憶することを特徴とする請求項１から４のいずれか１項に記載のプロジェクション装置。
【請求項６】
前記取得手段により取得されたレンズ識別情報が前記記憶手段に記憶されているとともに、前記プロジェクション装置に設定されているレンズ識別情報に一致する場合、前記制御手段は前記プロジェクション装置に設定されている投射条件を変更しないことを特徴とする請求項１から５のいずれか１項に記載のプロジェクション装置。
【請求項７】
前記取得手段が前記レンズ装置からレンズ識別情報を取得できない場合、または前記記憶手段が前記取得手段により取得されたレンズ識別情報を記憶していない場合、前記制御手段は前記プロジェクション装置に設定されている投射条件を変更しないことを特徴とする請求項１から６のいずれか１項に記載のプロジェクション装置。
【請求項８】
前記取得手段が前記レンズ装置からレンズ識別情報を取得できない場合、または前記記憶手段が前記取得手段により取得されたレンズ識別情報を記憶していない場合、前記制御手段は投射条件を調整可能な状態にすることを特徴とする請求項１から７のいずれか１項に記載のプロジェクション装置。
【請求項９】
調整可能な投射条件を記憶する記憶手段を有するレンズ装置を交換可能なプロジェクション装置であって、
前記レンズ装置から前記投射条件を取得する取得手段と、
前記投射条件を前記プロジェクション装置に設定する制御手段と、を有することを特徴とするプロジェクション装置。
【請求項１０】
前記制御手段は、前記取得手段が取得した前記投射条件が調整された後、調整後の前記投射条件を、前記プロジェクション装置に設定することを特徴とする請求項９に記載のプロジェクション装置。
【請求項１１】
レンズ装置を交換可能であり、レンズ識別情報と、該レンズ識別情報に対応する調整可能な投射条件と、を記憶する記憶手段を有するプロジェクション装置に、
前記レンズ装置から前記レンズ装置に対応するレンズ識別情報を取得するステップと、
前記記憶手段が前記レンズ装置から取得されたレンズ識別情報を記憶している場合、前記記憶手段から読み出す投射条件を、前記レンズ装置から取得されたレンズ識別情報に対応する投射条件に切り替えるステップと、を実行させることを特徴とする制御プログラム。
【発明の詳細な説明】
【技術分野】
【０００１】
本発明は、投射レンズを交換可能なプロジェクション装置、および該プロジェクション装置の制御プログラムに関する。
【背景技術】
【０００２】
従来、投射面（以下、スクリーン）に所望の向きやサイズの投射を行うために、投射レンズ（以下、レンズ装置）を交換可能なプロジェクション装置が知られている。レンズ装置の画角特性によって投射サイズは変化するため、プロジェクション装置は、通常、利便性を高めるために画角調整機能（以下、ズーム機能）を有し、レンズ装置を交換することなくある程度の範囲で画角調整を行うことが可能である。
【０００３】
ズーム機能を有するレンズ装置であっても至近スクリーンから遠方スクリーンまで１つで対応することはなく、領域分けを行い、レンズ装置を交換可能な構成とし複数種のレンズ装置で総合的にカバーすることが一般的である。このとき、所望のスクリーンへの投射に対し、複数のレンズ装置が適応する場合がある。その場合、レンズ装置を交換しながら最適なスクリーン投射が得られるように調整を行う。しかし、レンズ装置を交換しながらセッティングや画質を都度調整することは煩わしい。
【０００４】
特許文献１には、セッティング値や画質調整値（以下、パラメーターセット）をまとめて記憶し、使用者によって一括再設定を可能にする方法が開示されている。
【先行技術文献】
【特許文献】
【０００５】
【特許文献１】特開２００３−２９５３２１号公報
【発明の概要】
【発明が解決しようとする課題】
【０００６】
しかしながら、特許文献１に開示された設定方法では、交換レンズとの関連性は考慮されておらず、レンズ交換の都度パラメーターセットを選び直す必要がある。
【０００７】
本発明は、レンズ装置を交換した場合であっても、レンズ装置に対応した投射条件を容易に設定可能なプロジェクション装置および制御プログラムを提供することを目的とする。
【課題を解決するための手段】
【０００８】
本発明の一側面としてのプロジェクション装置は、レンズ装置を交換可能なプロジェクション装置であって、前記レンズ装置から前記レンズ装置に対応するレンズ識別情報を取得する取得手段と、レンズ識別情報と、該レンズ識別情報に対応する調整可能な投射条件を記憶する記憶手段と、前記記憶手段が前記取得手段により取得されたレンズ識別情報を記憶している場合、前記記憶手段から読み出す投射条件を、前記取得手段が取得したレンズ識別情報に対応する投射条件に切り替える制御手段と、を有することを特徴とする。
【０００９】
また、本発明の他の側面としてのプロジェクション装置は、調整可能な投射条件を記憶する記憶手段を有するレンズ装置を交換可能なプロジェクション装置であって、前記レンズ装置から前記投射条件を取得する取得手段と、前記投射条件を前記プロジェクション装置に設定する制御手段と、を有することを特徴とする。
【００１０】
また、本発明の他の側面としての制御プログラムは、レンズ装置を交換可能であり、レンズ識別情報と、該レンズ識別情報に対応する調整可能な投射条件と、を記憶する記憶手段を有するプロジェクション装置に、前記レンズ装置から前記レンズ装置に対応するレンズ識別情報を取得するステップと、前記記憶手段が前記レンズ装置から取得されたレンズ識別情報を記憶している場合、前記記憶手段から読み出す投射条件を、前記レンズ装置から取得されたレンズ識別情報に対応する投射条件に切り替えるステップと、を実行させることを特徴とする。
【発明の効果】
【００１１】
本発明によれば、レンズ装置を交換した場合であっても、レンズ装置に対応した投射条件を容易に設定可能なプロジェクション装置および制御プログラムを提供することができる。
【図面の簡単な説明】
【００１２】
【図１】実施例１のプロジェクション装置のブロック図である。
【図２】投射条件記憶装置が記憶するデータの一例を示す図である。
【図３】投射条件記憶装置が記憶するデータの一例を示す図である。
【図４】投射条件記憶装置が記憶するデータの一例を示す図である。
【図５】レンズ情報識別情報の取得方法の説明図である。
【図６】実施例１の投射条件の再設定時の処理手順を示すフローチャートである。
【図７】メニュー表示の一例を示す図である。
【図８】実施例１の投射条件変更時の処理手順を示すフローチャートである。
【図９】実施例１のプロジェクション装置の変形例のブロック図である。
【図１０】実施例２のプロジェクション装置のブロック図でる。
【発明を実施するための形態】
【００１３】
以下、本発明の実施例について、図面を参照しながら詳細に説明する。各図において、同一の部材については同一の参照番号を付し、重複する説明は省略する。
【実施例１】
【００１４】
まず、図１を参照して、本実施例のプロジェクション装置１０１の全体構成について説明する。図１は、レンズ装置１０５を交換可能なプロジェクション装置１０１のブロック図である。プロジェクション装置１０１は、リモコン（非図示）による操作、または通信回線（非図示）を介した遠隔制御が可能である。
【００１５】
光源装置１０３は、液晶パネル１０４に対する光源であり、ランプや固体光源等で構成されている。レンズ装置１０５は、レンズシフト装置１０８を具備するマウント部（非図示）によってプロジェクション装置１０１に接続される。レンズ装置１０５内に設けられたズーム装置１０６およびフォーカス装置１０７はそれぞれ、ズーム調整およびフォーカス調整を行う。液晶パネル１０４上に形成された像は、レンズ装置１０５によりフォーカス調整やズーム調整が行われ、スクリーン等の投影面１０２上に投影される。
【００１６】
プロジェクション装置１０１に入力された映像信号１１６は、画像処理装置１０９に入力される。画像処理装置１０９は、入力された映像信号１１６に対して、信号デコード、インターレース・プログレッシブ変換、フレームレート変換、解像度変換、アスペクト変換、色補正、形状変換などの各種画像処理を行う。また、画像処理装置１０９は、オンスクリーンディスプレイ（以下、ＯＳＤ）装置１１５によって生成されたＯＳＤ画像を合成する機能を有する。ＯＳＤ画像とは、メニュー、ポインタ、メッセージなどの画像であり、画像処理装置１０９は、このようなＯＳＤ画像を映像信号１１６上に重畳する。
【００１７】
駆動制御装置（パネルドライバ）１１０は、液晶パネル１０４にタイミング信号と映像信号を供給し、液晶パネル１０４を駆動する。液晶パネル１０４は、例えばＲ、Ｇ、Ｂの各色成分別の電気的な映像信号を二次元映像に変換する。液晶パネル１０４には、透過型液晶、反射型液晶、ミラーデバイス、またはこれらに類する表示装置が用いられる。
【００１８】
制御部１１２は、ＣＰＵ（演算装置）、ＲＡＭ、ＲＯＭなどからなるプログラム制御可能なプロセッサユニットであり、システムバスやＩ／Ｏ装置からなるシステム回線を介して、各構成要素とつながっている。制御部１１２は、各構成要素からの情報取得や各構成要素の制御を行う。
【００１９】
投射条件記憶装置（記憶手段）１１１は、不揮発性記憶装置であり、プロジェクション装置１０１の内部状態、使用履歴、調整パラメーター、各装置（ズーム装置１０６、フォーカス装置１０７、レンズシフト装置１０８）の調整値などの各種情報を記憶している。投射条件記憶装置１１１から読み出されるパラメーターセットは、装着されているレンズ装置１０５に応じて切り替えられ、使用者により調整可能である。また、投射条件記憶装置１１１は、レンズ装置１０５内に設けられたレンズ識別情報装置１１３から提供されるレンズ識別情報を記憶することが可能である。
【００２０】
本実施例では、投射条件記憶装置１１１は、図２に示されるパラメーターセットを記憶している。００００番地に現在装着されているレンズ装置１０５のシリアル番号、０００４番地にレンズ種が格納されている。また、０００８番地に明るさ調整値、０００ｃ番地にガンマ調整値、００１０番地にフォーカス調整値、００１４番地にズーム調整値、００１８番地にレンズシフト調整値が記憶されている。さらに、００１ｃ番地に映像向き設定値が格納されている。なお、記憶番地および記憶データは、図２に示されるものに限定されるものではない。
【００２１】
また、投射条件記憶装置１１１は、図３に示されるように、複数のパラメーターセットを保持してもよい。なお、３つのパラメーターセットは、同一のレンズ装置１０５に対するものであってもよいし、それぞれ異なるレンズ装置１０５に対するものであってもよい。なお、パラメーターセットの数は、３つに限定されるものではない。
【００２２】
また、投射条件記憶装置１１１は、図４に示されるように、レンズ装置１０５ごとのレンズデータ（レンズＡデータ、レンズＢデータ、レンズＣデータ）を保持してもよい。各レンズデータは、複数のパラメーターセットＮｏ．１〜Ｎｏ．３を有する。なお、レンズデータの数やパラメーターセットの数はそれぞれ３つずつに限定されるものではない。
【００２３】
レンズ識別情報装置１１３は、具体的には、ショート回路やＲＯＭ装置であり、レンズ装置１０５に対応するレンズ識別情報を保持する。レンズ識別情報取得装置（取得手段）１１４は、レンズ識別情報装置１１３からレンズ識別情報を取得する。
【００２４】
図５は、レンズ識別情報の取得方法の説明図である。図５（ａ）では、レンズ識別情報装置１１３はショート回路で構成され、レンズ識別情報取得装置１１４はショート回路に接続されたｃｏｍｍｏｎ端子および端子ａ〜ｄを有する。図５（ａ）では、ｃｏｍｍｏｎ端子は、端子ａおよび端子ｂに導通しており、端子ｃおよび端子ｄに導通していない。導通を「１」、非導通を「０」とすると、端子ａ，ｂ，ｃ，ｄの状態はそれぞれ、「１」、「１」、「０」、「０」と表せる。このパターンからレンズ装置１０５の識別が可能となる。すなわち、レンズ装置１０５の種別に応じて導通、非導通の組み合わせを異ならせることにより、レンズ装置１０５の種別を判定することが可能である。なお、端子数は、４つに限定されるものではなく、想定されるレンズの種別を表現可能な数に設計すればよい。
【００２５】
図５（ｂ）では、レンズ識別情報装置１１３はＲＯＭ装置で構成され、必要な情報を保持している。図５（ｂ）では、００００番地にレンズのシリアル番号が格納されており、０００４番地にレンズの種別情報が格納されている。レンズを個別に識別したい場合はシリアル番号を使用し、レンズの種別を判定したい場合はレンズ種別情報を使用する。また、レンズ識別情報装置１１３は、焦点距離、Ｆナンバー、シフト可能範囲、映像の向き等のようなレンズ情報を同時に保持してもよい。なお、ＲＯＭ装置を電気的に稼動させるために、レンズ識別情報取得装置１１４は、レンズ識別情報装置１１３に対する電気接点を備え、電力供給とバス接続が可能な回路構成を有する。
【００２６】
なお、映像信号１１６の上流には、図示はしていないが、映像入力端子として、例えば、ピンプラグ端子、Ｄ−Ｓｕｂ端子、ＨＤＭＩ（登録商標）端子、ＤＶＩ端子、ＤｉｓｐｌａｙＰｏｒｔ端子、ＬＡＮ端子、ＵＳＢ端子などが存在する。映像入力端子にはそれぞれ、ビデオ信号、コンポーネント信号、アナログＲＧＢ信号、ＨＤＭＩ信号、デジタルＲＧＢ信号、ＤｉｓｐｌａｙＰｏｒｔ信号、パケット化された映像信号、映像ファイルなどが入力される。
【００２７】
続いて、図６を参照して、制御部１１２により実行される本実施例の投射条件の再設定時の処理（以下、再設定処理）について説明する。図６は、本実施例の再設定処理の手順を示すフローチャートである。再設定処理は、ソフトウェアおよびハードウェア上で動作するコンピュータプログラムとしての制御プログラムにしたがって実行される。制御プログラムは、例えば、プロジェクション装置１０１内の不図示のメモリに格納されていてもよいし、コンピュータが読み取り可能な記録媒体に記録されていてもよい。また、本実施例では制御部１１２が再設定処理を実行するが、パーソナルコンピュータ（ＰＣ）や専用の装置が制御装置として再設定処理を実行してもよい。また、本実施例の制御プログラムに対応する回路を設け、回路を動作させることで再設定処理を実行してもよい。
【００２８】
ステップＳ６０１では、制御部１１２は、レンズ識別情報取得装置１１４を介して、装着されたレンズ装置１０５のレンズ識別情報装置１１３からレンズ識別情報を取得する。
【００２９】
ステップＳ６０２では、制御部１１２は、レンズ識別情報を取得できたかどうかを判定する。取得できた場合は、ステップＳ６０３に進み、取得できなかった場合はフローを終了する。
【００３０】
ステップＳ６０３では、制御部１１２は、投射条件記憶装置１１１から、格納されたレンズ識別情報を読み出す。
【００３１】
ステップＳ６０４では、制御部１１２は、投射条件記憶装置１１１がレンズ識別情報装置１１３から取得されたレンズ識別情報を記憶しているかどうかを判定する。具体的には、制御部１１２は、レンズ識別情報装置１１３から取得されたレンズ識別情報と、投射条件記憶装置１１１から読み出されたレンズ識別情報とを比較し、２つのレンズ識別情報が一致するかどうかを判定する。本実施例では、レンズ識別情報として、レンズ種別およびシリアル番号の少なくとも一方を使用する。投射条件記憶装置１１１が図３や図４に示されるように複数のパラメーターセットを記憶している場合、投射条件記憶装置１１１に格納された全てのレンズ識別情報に対し一致を検証する。本ステップでは、一致した場合、ステップＳ６０５に進み、一致しない場合、フローを終了する。また、一致した場合であっても、レンズ識別情報装置１１３から取得されたレンズ識別情報と、プロジェクション装置１０１に既に設定されているレンズ識別情報とが一致した場合、フローを終了してもよい。
【００３２】
ステップＳ６０５では、制御部１１２は、投射条件記憶装置１１１から読み出す投射条件を、ステップＳ６０４で一致したレンズ識別情報に対応する投射条件に切り替える。また、投射条件記憶装置１１１が図４に示されるデータを記憶している場合、レンズ識別情報に対応するレンズデータに切り替えてもよいし、レンズデータのうちあらかじめ決められた投射条件に切り替えてもよい。
【００３３】
再設定処理後、制御部１１２は、ステップＳ６０４で一致したレンズ識別情報に対応する投射条件を、プロジェクション装置１０１にそのまま設定してもよいし、使用者が調整可能に読み込んでもよい。投射条件が調整可能に読み込まれた場合、使用者は、必要に応じて、プロジェクション装置１０１の各種画質設定値、ズーム情報、フォーカス情報、レンズシフト情報、映像上下反転情報、映像左右反転情報、およびその他の投射条件を調整可能である。調整後の投射条件は、投射条件記憶装置１１１に格納される。
【００３４】
また、投射条件記憶装置１１１が図４に示されるデータを記憶している場合、使用者に図７に示されるメニューを表示し、読み出されたレンズデータが有する複数の投射条件から１つの投射条件を選択させてもよい。この場合、ロード１〜３で読み出す投射条件を選択し、セーブ１〜３で調整後のパラメーターを投射条件記憶装置１１１に格納させる。
【００３５】
以下、図８を参照して、本実施例の投射条件変更時の処理（以下、変更処理）について説明する。図８は、本実施例の変更処理の手順を示すフローチャートである。
【００３６】
ステップＳ８０１では、制御部１１２は、使用者によるプロジェクション装置１０１の調整機能を用いた、画質情報、ズーム情報、フォーカス情報、レンズシフト情報、キーストーン情報、映像向き情報など投射条件の変更結果を取得する。
【００３７】
ステップＳ８０２では、制御部１１２は、現在装着されているレンズ装置１０５のレンズ識別情報に、変更後の投射条件を関連付けた投射条件を投射条件記憶装置１１１に格納する。
【００３８】
なお、本実施例では、変更処理は、再設定処理後に実行されているが、本発明はこれに限定されない。また、再設定処理において、レンズ識別情報が読み出せても、読み出せなくても投射条件は調整可能である。なお、レンズ識別情報が読み出せない場合とは、レンズ識別情報装置１１３からレンズ識別情報を取得できない場合や、投射条件記憶装置１１１がレンズ識別情報装置１１３から取得されたレンズ識別情報を記憶していない場合のことである。
【００３９】
また、再設定処理において、レンズ識別情報が読み出せなかった場合、プロジェクション装置１０１に既に設定されている投射条件を変更せずに、プロジェクション装置１０１にそのまま投射条件を設定してもよいし、投射条件が調整できるように設定してもよい。ステップＳ６０４でレンズ識別情報装置１１３から取得されたレンズ識別情報と、プロジェクション装置１０１に既に設定されているレンズ識別情報とが一致した場合も同様の処理を実行すればよい。
【００４０】
本実施例のプロジェクション装置１０１では、レンズ装置１０５がズーム機構およびフォーカス機構を有しているが、本発明はこれに限定されない。プロジェクション装置１０１がズーム機構およびフォーカス機構の機能の一部または全てを有してもよい。例えば、図９に示されるように、レンズ装置１０５が第１ズーム装置１０６ａおよび第１フォーカス装置１０７ａを有し、プロジェクション装置１０１が第２ズーム装置９０１および第２フォーカス装置９０２を有してもよい。投射条件記憶装置１１１は、第１ズーム装置１０６ａ、第１フォーカス装置１０７ａ、第２ズーム装置９０１および第２フォーカス装置９０２の設定値をパラメーターセットのデータとして記憶しておけばよい。
【実施例２】
【００４１】
図１０は、本実施例のレンズ装置２０５を交換可能なプロジェクション装置２０１のブロック図である。実施例１では、プロジェクション装置１０１が投射条件記憶装置１１１を有していたが、本実施例では、レンズ装置２０５がレンズ内蔵投射条件記憶装置２１１を有する。
【００４２】
本実施例では、プロジェクション装置２０１はレンズ装置２０５が装着された際にレンズ内蔵投射条件記憶装置２１１からレンズ装置２０５に対応するパラメーターセットを取得することが可能である。すなわち、プロジェクション装置２０１とレンズ装置２０５との間でレンズ識別情報をやり取りする必要はない。したがって、本実施例では、実施例１とは異なり、プロジェクション装置２０１およびレンズ装置２０５はそれぞれ、レンズ識別情報取得装置およびレンズ識別情報装置を有する必要はない。そのため、本実施例では、制御装置２１２がレンズ装置２０５からパラメーターセットを取得する取得手段として機能する。
【００４３】
プロジェクション装置２０１は、レンズ内蔵投射条件記憶装置２１１から取得したパラメーターセットのうち投射条件を、そのまま設定してもよいし、使用者が変更可能な状態にしてもよい。また、プロジェクション装置２０１は、複数のパラメーターセットを取得した場合、１つのパラメーターセットの投射条件をそのまま設定してもよいし、使用者が１つのパラメーターセットの投射条件を選択可能な状態にしてもよい。選択されたパラメーターセットは、使用者により調整可能である。使用者が投射条件の設定値を調整した場合、プロジェクション装置２０１は調整後の投射条件をレンズ装置２０５に送信し、レンズ装置２０５は調整後の投射条件をレンズ内蔵投射条件記憶装置２１１が記憶しているパラメーターセットに反映させる。
【００４４】
なお、他の構成は実施例１と同様であるため、詳細な説明は省略する。
【００４５】
以上、各実施例で説明したように、レンズ装置を交換した場合であっても、レンズ装置に対応した投射条件を容易に設定可能なプロジェクション装置を提供することができる。
【００４６】
以上、本発明の好ましい実施形態について説明したが、本発明はこれらの実施形態に限定されず、その要旨の範囲内で種々の変形及び変更が可能である。
［その他の実施例]
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００４７】
１０１  プロジェクション装置
１０５  レンズ装置
１１１  投射条件記憶部（記憶手段）
１１２  制御部（制御手段）
１１４  レンズ識別情報取得装置（取得手段）
【図１】
2019082515.tif 000003
【図２】
2019082515.tif 000004
【図３】
2019082515.tif 000005
【図４】
2019082515.tif 000006
【図５】
2019082515.tif 000007
【図６】
2019082515.tif 000008
【図７】
2019082515.tif 000009
【図８】
2019082515.tif 000010
【図９】
2019082515.tif 000011
【図１０】
2019082515.tif 000012